(57)【要約】【課題】ＵＳＢ端子が確実に保護できて端子保護部材を紛失する恐れがなく、しかも小型化が可能な携帯型記憶装置を提供する。【解決手段】前板部１１と、コネクタ１の長さより僅かに長い上板部１２および下板部１３により一体化した左右一対の側壁部９Ｌ、９Ｒの対向する面に設けた突起１０Ｌ、１０Ｒを、ＵＳＢ端子１Ｂと電気的に接続されている記憶部３を保護している保護部材２の左右両側面に設けた溝状の凹み５Ｌ、５Ｒに分離不能に、且つ、摺動可能に嵌め込んで端子保護部材８を保護部材２に装着する。凹み５Ｌ、５Ｒは前後方向に形成し、その前端側は突起１０Ｌ、１０Ｒが回動可能に円形溝６Ｌ、６Ｒに形成し、突起１０Ｌ、１０Ｒが円形溝６Ｌ、６Ｒに位置するときに端子保護部材８が前後方向に回動して、ＵＳＢ端子１Ｂを覆い隠すことも、露出させることも自在に行えるようにした。【選択図】  図１
2004221048.tif 000002
【特許請求の範囲】
【請求項１】
記憶部と、記憶部に連結されたＵＳＢ端子と、記憶部を被覆する保護部材とを備えて構成される記憶装置において、保護部材に分離不能に取り付けられた端子保護部材によりＵＳＢ端子が露出可能に被覆されたことを特徴とする記憶装置。
【請求項２】
端子保護部材によるＵＳＢ端子の被覆／露出が、回動機構を利用してなされることを特徴とする請求項１記載の記憶装置。
【請求項３】
端子保護部材によるＵＳＢ端子の被覆／露出が、摺動機構を利用してなされることを特徴とする請求項１記載の記憶装置。
【請求項４】
端子保護部材によるＵＳＢ端子の被覆／露出が、回動機構と摺動機構を併用してなされることを特徴とする請求項１記載の記憶装置。
【発明の詳細な説明】
【技術分野】
【０００１】
本発明は、パーソナルコンピュータ（以下、ＰＣと記す）などに装備されているＵＳＢ端子に接続して使用する、主に携帯型記憶装置に関する。
【背景技術】
【０００２】
この種の記憶装置としては、例えば図３６に示したようにＰＣ２００に装備されたＵＳＢ（Universal Serial Bus）接続用のコネクタ２０１にコネクタ１を挿し込んで、対応する図示しないＵＳＢ端子同士を接続して、(1)樹脂製の保護部材２によって被覆されたフラッシュメモリなどから構成された記憶部３に記憶してある情報をＰＣ２００に取り込んで演算処理する、(2)ＰＣ２００が保有する情報を記憶部３に記憶する、ことなどが可能に設けられた記憶装置１００Ｘが周知である（例えば、特許文献１参照。）。
【０００３】
上記のように使用される記憶装置１００Ｘにおいては、コネクタ１が露出した状態では、(1)金属製のコネクタ１内に設けたセラミックなどからなる絶縁部材１Ａの表面に配設されたＵＳＢ端子１Ｂが露出して埃を被る、(2)コネクタ１が外力を受けて変形・破損する、などと云った不都合を生じる懸念があるため、コネクタ１に被せるキャップ４が考案されているが、キャップ４は使用時には取り外して別置きされるものであったために、キャップ４を紛失したり、キャップ４を装着しないで持ち運んでいるときに落として壊したりすることがあった。
【０００４】
また、上記の改良タイプとして、外したキャップ４を万年筆のキャップのように、保護部材２の後端部に挿し込むタイプも考案されている。しかし、このように外したキャップ４を保護部材２の後端部に挿し込むタイプの記憶装置１００Ｘにおいては、ＰＣ２００に装着したときに、大きく突出して邪魔であるばかり出なく、引っ掛けて壊しかねない、と云った問題点があった。
【０００５】
また、ＰＣ２００が携帯用のノート型ＰＣであるときには、複数個のコネクタ２０１が背面側などの端面に接近して設けられるため、そこに装着する記憶装置としては、キャップ４の部分を含めて厚みが厚いと互いに干渉するため、コネクタ２０１それぞれに記憶装置１００Ｘを装着することができない、と云った不都合があった。
【０００６】
また、市販されている記憶装置１００Ｘにおいては、ストラップで首から吊下げることができるように構成されているものもあるが、ストラップを首から外さなくてもＰＣ２００のコネクタ２０１に装着可能に、ストラップはキャップ４に取り付けられているので、コネクタ１とキャップ４との嵌合が緩くなると、貴重な情報を記憶してある記憶装置１００Ｘを落とし、紛失する恐れがあった。
【０００７】
【特許文献１】特開２００２−０４１２４７号（図３）
【発明の開示】
【発明が解決しようとする課題】
【０００８】
したがって、ＵＳＢ端子が確実に保護できて、端子保護部材を紛失する恐れがなく、しかも小型化が可能な携帯型の記憶装置を提供する必要があり、それが解決すべき課題となっていた。
【課題を解決するための手段】
【０００９】
本発明は上記従来技術の課題を解決するため、記憶部と、記憶部に連結されたＵＳＢ端子と、記憶部を被覆する保護部材とを備えて構成される記憶装置において、保護部材に分離不能に取り付けた端子保護部材によりＵＳＢ端子を露出可能に被覆するようにしたことを主要な特徴とする。
【００１０】
そして、さらに端子保護部材によるＵＳＢ端子の被覆／露出を、回動機構および／または摺動機構を利用して行うようにしたことを特徴とするものである。
【発明の効果】
【００１１】
本発明によれば、記憶装置のＵＳＢ端子が確実に保護できる。また、ＵＳＢ端子を保護する部材は記憶部を保護している部材に分離不能に装着されているので、端子保護部材を紛失する恐れがない。また、小型化が可能であるので、ノート型ＰＣの背面に接近して設けられた全てのＵＳＢコネクタにも挿し込んで使用することができる。
【発明を実施するための最良の形態】
【００１２】
記憶部と、記憶部に連結されたＵＳＢ端子と、記憶部を被覆する保護部材とを備えて構成される記憶装置において、保護部材に分離不能に取り付けた端子保護部材によりＵＳＢ端子を、回動機構および／または摺動機構を利用して露出可能に被覆するようにした。
【００１３】
以下、本発明の実施例を図面に基づいて説明する。なお、本明細書においては理解を容易にするために、図３６に示した状態で使用される記憶装置１００をコネクタ１側から見たときの部位で左右、上下と呼称し、説明するものとする。
【実施例１】
【００１４】
本発明の第１の実施例を、図１〜図３に基づいて説明する。
第１の実施例の記憶装置１００においても、コネクタ１内の絶縁部材１Ａに担持されたＵＳＢ端子１Ｂと電気的に接続されている記憶部３は、保護部材２によって被覆されている。
【００１５】
保護部材２の左側面２Ｌと右側面２Ｒそれぞれには、溝状の凹み５Ｌ、５Ｒと半球状の突起７Ｌ、７Ｒとが設けられている。凹み５Ｌ、５Ｒは共に保護部材２の前後方向に形成され、それらのコネクタ１側、すなわち前端側は円形溝６Ｌ、６Ｒとなっている。
【００１６】
符号８は端子保護部材である。この場合の端子保護部材８は、左右一対の側壁部９Ｌ、９Ｒを備えており、それぞれの対向する面に設けられた突起１０Ｌ、１０Ｒが凹み５Ｌ、５Ｒに分離不能（但し、常識的な大きさの力が加えられたとき。以下、同じ。）に、且つ、摺動可能に嵌め込まれて、端子保護部材８が保護部材２に装着されている。
【００１７】
なお、突起１０Ｌ、１０Ｒの幅は、凹み５Ｌ、５Ｒの幅に一致し、突起１０Ｌ、１０Ｒの長さは、突起１０Ｌ、１０Ｒが円形溝６Ｌ、６Ｒの部分で回動可能に円形溝６Ｌ、６Ｒの直径に一致するように設けられている。また、左右一対の側壁部９Ｌ、９Ｒは、前板部１１と、前板部１１からコネクタ１の長さより僅かに長く延設された上板部１２および下板部１３により一体化されている。
【００１８】
そして、前板部１１の側をコネクタ１の側に配して突起１０Ｌ、１０Ｒを円形溝６Ｌ、６Ｒから離れる側、すなわち保護部材２の後端側の凹み５Ｌ、５Ｒに位置させると、前板部１１がコネクタ１の直前に位置し、上板部１２と下板部１３とがコネクタ１の上下に位置してコネクタ１を覆い隠し、突起１０Ｌ、１０Ｒを円形溝６Ｌ、６Ｒの部分に位置させると、突起１０Ｌ、１０Ｒが円形溝６Ｌ、６Ｒの部分で回動でき、二点鎖線で示す状態を経て、前板部１１、上板部１２、下板部１３の側が最初とは逆の側、すなわち保護部材２の後端側に位置して、コネクタ１が完全に露出する寸法・形状に、各部が形成されている（図２参照）。
【００１９】
また、前板部１１の側が保護部材２の後端側に位置するように端子保護部材８を回動してコネクタ１を露出させたときに、突起７Ｌ、７Ｒが嵌脱可能な半球状の凹部１４Ｌ、１４Ｒが側壁部９Ｌ、９Ｒの対向する面に設けられて、端子保護部材８を保護部材２の後端側に回動してコネクタ１を露出したときには突起７Ｌ、７Ｒが側壁部９Ｌ、９Ｒの半球状の凹部１４Ｌ、１４Ｒに嵌合して、端子保護部材８が不用意に回動しないように構成されている。
【００２０】
したがって、上記構成になる本発明の記憶装置１００においては、保護部材２に分離不能に装着した端子保護部材８を前後方向に回動することにより、コネクタ１のＵＳＢ端子１Ｂを覆い隠すことも、露出させることも自在に行える。しかも、ＵＳＢ端子１Ｂが露出しているときには、端子保護部材８は不用意に回動することがないように保護部材２に確実に固定される。また、小型化が可能であるので、ノート型ＰＣのように複数のコネクタ２０１が接近して配設されていても、全てのコネクタ２０１に装着することができる。
【実施例２】
【００２１】
本発明の第２の実施例を、図４と図５に基づいて説明する。
第２の実施例の記憶装置１００においては、記憶部３を被覆している保護部材２と、コネクタ１が取り付けられている保護部材２Ａとはヒンジ１５により分離不能に、且つ、回動可能に連結されている。また、保護部材２とＵ字溝の一方の端面が封止された形状に形成された端子保護部材８もヒンジ１６により図示したように分離不能に、且つ、回動可能に連結されている。
【００２２】
そして、保護部材２Ａと端子保護部材８とは、保護部材２の同一側面の側に回動し、且つ、保護部材２の一側面側に回動した保護部材２Ａのコネクタ１を保護部材２の同一側面側に回動した端子保護部材８の内部に収納して隠すことができる寸法・形状に、各部が形成されている。
【００２３】
したがって、上記構成になる第２の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【００２４】
しかも、コネクタ部と記憶部とを折り曲げ可能に連結したので、使用する場所に応じて使用形態を変更することがでる。例えば、ＰＣ２００を壁７０の直前に置いて使用するときには、記憶装置１００を図５（Ｄ）に示すように屈曲して用いることで、ＰＣ２００の前方に広い作業スペースを確保することができる。
【００２５】
なお、この第２の実施例の記憶装置１００においては、コネクタ１の図示しないＵＳＢ端子と保護部材２によって被覆された記憶部３とは、保護部材２Ａとヒンジ１５の部分に設けた導線を経由して電気的に接続されている。
【実施例３】
【００２６】
本発明の第３の実施例を、図６、図７に基づいて説明する。
第３の実施例の記憶装置１００においては、端子保護部材８は記憶部３を被覆している保護部材２に摺動可能に外嵌された筒状部材１７と、その筒状部材１７に支持軸１８により回動可能に取り付けられて筒状部材１７の前端側開口部を開閉する蓋部材１９とを備えて構成されている。支持軸１８は左右に分割して短く設けられても良いし、左右方向に連続して長く設けられても良い。
【００２７】
また、蓋部材１９は、図示しないコイルばねなどの適宜の付勢手段により筒状部材１７の前端側開口部を封止する向きの力が作用するように取り付けられている。そのため、筒状部材１７をコネクタ１から離れる方向、すなわち保護部材２の後端側に摺動させると、蓋部材１９はコネクタ１の前端が当たって矢印の方向に回動し（図７参照）、コネクタ１は筒状部材１７の前端側開口部から現われ、筒状部材１７をコネクタ１の方向、すなわち保護部材２の前端側に摺動してコネクタ１を筒状部材１７の内部に収納すると、蓋部材１９は図示しない付勢手段の力により回動して筒状部材１７の前端側開口部を封止する。
【００２８】
したがって、上記構成になる第３の実施例の記憶装置１００においても、保護部材２に装着した端子保護部材８により、コネクタ１のＵＳＢ端子１Ｂを収納して隠すことも、露出させることも自在に行える。また、小型化が可能であるので、ノート型ＰＣのように複数のコネクタ２０１が接近して配設されていても、全てのコネクタ２０１に装着することができる。
【００２９】
なお、この第３の実施例の記憶装置１００においては、突条などからなる前側脱落防止手段２０と後側脱落防止手段２１とが保護部材２の、例えば上面、下面それぞれの前後２箇所に設けられているので、端子保護部材８を保護部材２の前後方向に摺動するときに、端子保護部材８が保護部材２から抜け落ちることがない。
【実施例４】
【００３０】
本発明の第４の実施例を、図８、図９に基づいて説明する。
第４の実施例の記憶装置１００は、前記図６、図７に示した第３の実施例の記憶装置１００と類似している。
【００３１】
第４の実施例の記憶装置１００が前記第３の実施例の記憶装置１００と相違する主な点は、蓋部材１９の取り付け方にある。すなわち、第４の実施例の記憶装置１００においては、支持軸１８により筒状部材１７に取り付けられる蓋部材１９は、図示したように２７０度の範囲で回動できるように取り付けられている（図９参照）。そして、蓋部材１９は何れの向きにも付勢されていない。
【００３２】
したがって、上記構成になる第４の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【００３３】
上記第４の実施例の記憶装置１００においては、コネクタ１の長さだけ端子保護部材８の筒状部材１７を前後方向に摺動させれば、コネクタ１を完全に露出させることができるので、前記図６、図７に示した第３の実施例の記憶装置１００より、端子保護部材８を動かす所要距離が短くなると云った利点がある。
【００３４】
なお、この第４の実施例の記憶装置１００においては、蓋部材１９を凹凸嵌合などして係止可能な適宜の係止手段を、筒状部材１７の前面部分と上板部分、および蓋部材１９の側に設けて適宜係止可能にし、何れの向きにも付勢されていない蓋部材１９が不用意に回動することがないようにすることが好ましい。
【実施例５】
【００３５】
本発明の第５の実施例を、図１０〜図１２に基づいて説明する。
第５の実施例の記憶装置１００においては、端子保護部材８は外見が洗濯バサミ状に回動可能に形成された左右一対の合せ蓋部材２２Ｌ、２２Ｒから構成されている。
【００３６】
合せ蓋部材２２Ｌ、２２Ｒは、それぞれに分離不能な支持軸２３Ｌ、２３Ｒを備え、それら支持軸に一端が固定された連結部材２４Ｌ、２４Ｒ（図１２においては、左側に位置する部材のみを示す。以下、同じ。）の他端が、保護部材２の前端側の左右両側面に開設された長穴２５Ｌ、２５Ｒに抜け落ちることがないように摺動可能に遊嵌されて、保護部材２の前端部に装着されている。
【００３７】
また、バネ部材２６Ｌ、２６Ｒが、例えば図１２に示したように合せ蓋部材２２Ｌ、２２Ｒそれぞれと保護部材２との間に設けられて、合せ蓋部材２２Ｌ、２２Ｒの前端側を当接させる力が合せ蓋部材２２Ｌ、２２Ｒに作用するように構成されている。
【００３８】
そして、左右一対の合せ蓋部材２２Ｌ、２２Ｒの後端部分に矢印の方向に力を加えると（図１１（Ａ）参照）、前端側が矢印の方向に回動して前端側が開き（図１１（Ｂ）参照）、そこからコネクタ１が露出可能になり、且つ、連結部材２４Ｌ、２４Ｒを長穴２５Ｌ、２５Ｒの後端側に移動させたときにコネクタ１全体が端子保護部材８から出て露出する寸法・形状に、各部が形成されている（図１１（Ｃ）参照）。
【００３９】
したがって、上記構成になる第５の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【実施例６】
【００４０】
本発明の第６の実施例を、図１３、図１４に基づいて説明する。
第６の実施例の記憶装置１００においては、端子保護部材８はコネクタ１を収納して隠すために上下に分割された上下一対の合せ蓋部材２７Ｔ、２７Ｂからなり、それぞれが保護部材２の前端側両側面それぞれの上下に設けられた円弧状の案内溝２８Ｔ、２８Ｂに合せ蓋部材２７Ｔ、２７Ｂそれぞれの左右両側に取り付けられた連結部材２９Ｔ、２９Ｂが抜け落ちることがないように摺動可能に遊嵌されて、保護部材２の前端部に取り付けられている。
【００４１】
そして、連結部材２９Ｔ、２９Ｂを、案内溝２８Ｔ、２８Ｂの後端側に移動させたときにコネクタ１全体が端子保護部材８から現われ出る寸法・形状に、各部が形成されている。
【００４２】
したがって、上記構成になる第６の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【００４３】
なお、この第６の実施例の記憶装置１００においては、端子保護部材８がコネクタ１を覆い隠しているときに、上下一対の合せ蓋部材２７Ｔ、２７Ｂを凹凸嵌合などして適宜係止することのできる適宜の係止手段を設けて、当接している上下一対の合せ蓋部材２７Ｔ、２７Ｂが不用意に保護部材２の後端方向に移動しないようにすることが好ましい。
【実施例７】
【００４４】
本発明の第７の実施例を、図１５〜図１７に基づいて説明する。
第７の実施例の記憶装置１００においては、端子保護部材８は保護部材２に摺動可能に外嵌された筒状部材３０と、１／４円板状に形成されてその前端側に回動可能に装着された上下一対の扇状部材３１Ｔ、３１Ｂと、弾性変形可能な素材からなる矩形平板状の蓋部材３２とを備えて構成されている。
【００４５】
扇状部材３１Ｔ、３１Ｂは、例えば保護部材２の左側面２Ｌ側の前端部分上下にそれぞれ支持軸３３Ｔ、３３Ｂにより、円弧側がそれぞれの水平面内で回動可能に、且つ、分離不能に装着されている。
【００４６】
また、蓋部材３２は一端が保護部材２の右側面２Ｒ側の筒状部材３０前端側に固定され、他端が扇状部材３１Ｔ、３１Ｂの円弧側のコネクタ１前端に近い側の端部に固定され、扇状部材３１Ｔ、３１Ｂが前方に回動されたときに扇状部材３１Ｔ、３１Ｂの対向する面に設けられた円弧状段部３４Ｔ、３４Ｂに両側部分が支持されてコネクタ１を収納して隠すことが可能に設けられている。
【００４７】
そして、筒状部材３０を保護部材２の後端側に移動させたときに、蓋部材３２が後退する筒状部材３０によって保護部材２の後端側に引っ張られて、上下一対の扇状部材３１Ｔ、３１Ｂが図１６に示す位置まで回動し、コネクタ１が端子保護部材８から現われ出る寸法・形状に、各部が形成されている。
【００４８】
また、筒状部材３０が後退したときにはコネクタ１より後方に位置し、筒状部材３０を前進させてコネクタ１の上下と、右側と、前方を上下一対の扇状部材３１Ｔ、３１Ｂと、蓋部材３２により被覆したときに、コネクタ１の左側を覆うことのできる舌片状蓋部材３５が、筒状部材３０の左側面２Ｌ部分から前方に延設されている。
【００４９】
したがって、上記構成になる第７の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【実施例８】
【００５０】
本発明の第８の実施例を、図１８、図１９に基づいて説明する。
第８の実施例の記憶装置１００においては、端子保護部材８は図示しない付勢手段の力によりコネクタ１をその両側から挟んで収納して隠すことができる左右一対の合せ蓋部材３６Ｌ、３６Ｒを備えている。
【００５１】
すなわち、この左右一対の合せ蓋部材３６Ｌ、３６Ｒは、支持軸３７Ｌ、３７Ｒにより分離不能に、且つ、回動可能に、さらには図示しない付勢手段によりコネクタ１をその両側から挟んで被覆可能に、保護部材２の前端部に装着されている。
【００５２】
また、合せ蓋部材３６Ｌ、３６Ｒの前端側内面は傾斜面に形成され、例えば保護部材２の右側面２Ｒに設けた長孔３８から保護部材２外面に摺動可能に設けられた操作手段３９を保護部材２の前端側に摺動させるとコネクタ１が左右一対の合せ蓋部材３６Ｌ、３６Ｒの傾斜した内面に当たって左右一対の合せ蓋部材３６Ｌ、３６Ｒを押し拡げてコネクタ１が露出するように設けられている。
【００５３】
また、左右一対の合せ蓋部材３６Ｌ、３６Ｒは、操作手段３９を保護部材２の後端側に摺動すると、付勢手段の力により回動して接近し、コネクタ１を左右両側から収納して隠すように設けられている。
【００５４】
したがって、上記構成になる第８の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【実施例９】
【００５５】
本発明の第９の実施例を、図２０、図２１に基づいて説明する。
第９の実施例の記憶装置１００においては、端子保護部材８は前板部４０と、その前板部４０から延設された上板部４１によって一体化された左側板４２Ｌと、右側板４２Ｒとを備えており、左側板４２Ｌ、右側板４２Ｒそれぞれには８の字状の長穴４３が設けられ、保護部材２の左側面２Ｌ、右側面２Ｒそれぞれに設けられた突起４４が回動可能に嵌合して、保護部材２と端子保護部材８とが分離不能に一体化されている。
【００５６】
なお、コネクタ１の前方に前板部４０の側を位置させ、８の字状に形成された長穴４３の後側の穴に突起４４を位置させたときには前板部４０がコネクタ１の前端から離間し、長穴４３の前方の穴に突起４４が位置したときには前板部４０がコネクタ１の前端に当接する寸法・形状に、各部が形成されている。
【００５７】
また、保護部材２の後方に前板部４０の側を配して、８の字状に形成された長穴４３の後端側の穴に突起４４を位置させたときには前板部４０が保護部材２の後端に当接し、長穴４３の前方の穴に突起４４が位置したときには前板部４０が保護部材２の後端から離間して前板部４０の部分をコネクタ１の前方に回動できる寸法・形状にも、各部が形成されている。
【００５８】
また、保護部材２の左側面２Ｌ、右側面２Ｒそれぞれの上部側前後２箇所には、所定の大きさを超える力が加えられると左側板４２Ｌ、右側板４２Ｒが乗り越え得る高さの突起４５ＬＦ、４５ＬＲ、４５ＲＦ、４５ＲＲが設けられて、左右一対の側板４２Ｌ、４２Ｒが不用意に上方に回動しないようになっている。
【００５９】
したがって、上記構成になる第９の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【実施例１０】
【００６０】
本発明の第１０の実施例を、図２２、図２３に基づいて説明する。
第１０の実施例の記憶装置１００においては、端子保護部材８は保護部材２の左右の側面上部中央部分に支持軸４６Ｌ、４６Ｒにより上方を経由して前後方向に回動可能、且つ、分離不能に取り付けられた左右一対の上部腕部材４７Ｌ、４７Ｒと、保護部材２の左右の側面下部中央部分に支持軸４８Ｌ、４８Ｒにより下方を経由して前後方向に回動可能、且つ、分離不能に取り付けられた左右一対の下部腕部材４９Ｌ、４９Ｒと、前方に回動したときに互いに当接してコネクタ１を収納して隠すと共に、上部腕部材４７Ｌ、４７Ｒ、下部腕部材４９Ｌ、４９Ｒそれぞれを前端側で一体化している上下一対の合せ蓋部材５０Ｔ、５０Ｂとからなる。
【００６１】
したがって、上記構成になる第１０の実施例の記憶装置１００においても、保護部材２に分離不能に装着した端子保護部材８により、コネクタ１の図示しないＵＳＢ端子を収納して隠すことも、露出させることも自在に行える。また、小型化が可能であるので、ノート型ＰＣのように複数のコネクタ２０１が接近して配設されていても、全てのコネクタ２０１に装着することができる。
【００６２】
なお、この第１０の実施例の記憶装置１００においては、端子保護部材８がコネクタ１を覆い隠しているときと、コネクタ１が露出しているときに、合せ蓋部材５０Ｔと合せ蓋部材５０Ｂとを凹凸嵌合などして適宜係止することのできる係止手段を設けて、上下一対の合せ蓋部材５０Ｔ、５０Ｂが不用意に回動することがないようにすることが好ましい。
【実施例１１】
【００６３】
本発明の第１１の実施例を、図２４〜図２６に基づいて説明する。
第１１の実施例の記憶装置１００においては、端子保護部材８は保護部材２内の収納部５１からコネクタ１内に押し出されて絶縁部材１Ａに配したＵＳＢ端子１Ｂを覆うための絶縁素材からなる板状の被覆部材５２と、その被覆部材５２を保護部材２内の収納部５１から押し出してコネクタ１内で絶縁部材１Ａに並設させる力を被覆部材５２に与える、被覆部材５２に一端が固定されたコイルばねなどからなる付勢手段５３とからなる。
【００６４】
したがって、上記構成になる第１１の実施例の記憶装置１００においては、ＰＣ２００のコネクタ２０１にコネクタ１を挿し込むと、コネクタ１内の被覆部材５２の端面にコネクタ２０１のＵＳＢ端子が設けられた絶縁部材の端面が当接して被覆部材５２が保護部材２内の収納部５１に押し込まれ、コネクタ１内に設けられているセラミックなどからなる絶縁部材１Ａの表面のＵＳＢ端子１Ｂが露出してコネクタ２０１の端子と接触する。
【００６５】
逆に、ＰＣ２００のコネクタ２０１からコネクタ１を抜き取ると、被覆部材５２が付勢手段５３により保護部材２の収納部５１からコネクタ１内に押し出されて、絶縁部材１Ａの表面に配設されているＵＳＢ端子１Ｂを覆う。
【００６６】
すなわち、保護部材２に分離不能に装着した端子保護部材８により、コネクタ１のＵＳＢ端子１Ｂを覆い隠すことも、露出させることも自在に行える。また、小型化が可能であるので、ノート型ＰＣのように複数のコネクタ２０１が接近して配設されていても、全てのコネクタ２０１に装着することができる。
【実施例１２】
【００６７】
本発明の第１２の実施例を、図２７、図２８に基づいて説明する。
第１２の実施例の記憶装置１００においては、端子保護部材８は、保護部材２の前方に突出可能に、保護部材２の一方の側面、例えば右側面２Ｒに沿って設けた収納部５４に収納された板状蓋部材５５からなる。
【００６８】
板状蓋部材５４は直角に屈曲可能に自己ヒンジ５６、５７を二箇所に備えており、且つ、先端側には穴５８を備え、保護部材２の左側面２Ｌに設けた突起５９と嵌合可能に構成されている。
【００６９】
また、板状蓋部材５５は、後端側に設けた例えば突起状などをした図示しない脱落防止手段により収納部５４から抜け落ちることがないように構成されている。そして、板状蓋部材５５は脱落防止手段の部分以外を収納部５４から引き出すと、自己ヒンジ５６、５７の部分で直角に屈曲して板状蓋部材５５がコネクタ１の前端に当接し、且つ、先端部に設けた穴５８が保護部材２の側面に設けた突起５９に嵌合し、板状蓋部材５５の先端側が保護部材２に係合して固定される寸法・形状に、各部が形成されている。
【００７０】
したがって、上記構成になる第１２の実施例の記憶装置１００においては、板状蓋部材５５の先端部分の穴５８と保護部材２の側面の突起５９との嵌合を外して蓋状部材５５を伸ばすとコネクタ１の先端の開口部が現われてＵＳＢ端子１Ｂが露出し、穴５８に突起５９を嵌め込むと、板状蓋部材５５がコネクタ１の前端に当接してＵＳＢ端子１Ｂを覆うことができる。
【００７１】
すなわち、保護部材２に分離不能に装着した端子保護部材８により、コネクタ１のＵＳＢ端子１Ｂを被覆して隠すことも、露出させることも自在に行える。また、小型化が可能であるので、ノート型ＰＣのように複数のコネクタ２０１が接近して配設されていても、全てのコネクタ２０１に装着することができる。
【００７２】
なお、板状蓋部材５５を収納部５４から引き出す、収納操作が容易に行えるようにするなどの適宜の工夫を付加しても良い。例えば、収納部５４が設けられている側の保護部材２の右側面２Ｒに長穴を前後方向に設けると共に、一端が右側面２Ｒに位置し、他端が前記長穴を貫通して板状蓋部材５５に固定された操作摘みを取り付け、その操作摘みを前後方向にスライドして板状蓋部材５５を収納部５４から出没させる構成とすることも可能である。
【実施例１３】
【００７３】
本発明の第１３の実施例を、図２９、図３０に基づいて説明する。
第１３の実施例の記憶装置１００においては、端子保護部材８は、保護部材２に摺動可能に外嵌された筒状部材６０と、その筒状部材６０の前端側に支持軸６１Ｌ、６１Ｒによりそれぞれ水平面内で分離不能に、且つ、回動可能に取り付けられて、互いに当接したときにコネクタ１を収納して隠し、離間したときにコネクタ１を露出する左右一対の合せ蓋部材６２Ｌ、６２Ｒとからなる。
【００７４】
左右一対の合せ蓋部材６２Ｌ、６２Ｒは、支持軸６１Ｌ、６１Ｒなどに取り付けた図示しない付勢手段から力を受けて、外力が作用していないときには互いに当接するように設けられている。
【００７５】
筒状部材６０の上板部と下板部には前端から後端側にスリット６３Ｔ、６３Ｂが設けられている。また、保護部材２の上面前端側には筒状部材６０のスリット６３Ｔに挿入可能な突条６４Ｔが設けられ、保護部材２の下面前端側には筒状部材６０のスリット６３Ｂに挿入可能な突条６４Ｂが設けられて、筒状部材６０が保護部材２０の前端側に抜け落ちることがないように設けられている。
【００７６】
そして、左右一対の合せ蓋部材６２Ｌ、６２Ｒの対向設置された上板部６５Ｌ、６５Ｒの間に保護部材２の突条６４Ｔが位置し、下板部６６Ｌ、６６Ｒの間に保護部材２の突条６４Ｂが位置し、端子保護部材８を保護部材２の前端側に移動させると、突条６４Ｔが上板部６５Ｌ、６５Ｒの間に、突条６４Ｂが下板部６６Ｌ、６６Ｒの間に割り込んで、左右一対の合せ蓋部材６２Ｌ、６２Ｒを矢印の方向に回動して前端側が開口し（図３０（Ａ）参照）、その開口部からコネクタ１が露出する寸法・形状に、各部が形成されている。
【００７７】
したがって、上記構成になる第１３の実施例の記憶装置１００においては、端子保護部材８を保護部材２の後端側に摺動させると上下の突条６４Ｔ、６４Ｂが左右一対の合せ蓋部材６２Ｌ、６２Ｒの上板同士と、下板同士の間に割り込んで合せ蓋部材６２Ｌ、６２Ｒが回動して開口し、その開口した前端部からコネクタ１が現われ、端子保護部材８を保護部材２の前端側に摺動させると上下の突条６４Ｔ、６４Ｂが上板同士と、下板同士の間から外れて付勢手段の力により、左右一対の合せ蓋部材６２Ｌ、６２Ｒは当接してコネクタ１をその内部に収納する。
【００７８】
すなわち、保護部材２に分離不能に装着した端子保護部材８により、コネクタ１のＵＳＢ端子１Ｂを収納して隠すことも、露出させることも自在に行える。また、小型化が可能であるので、ノート型ＰＣのように複数のコネクタ２０１が接近して配設されていても、全てのコネクタ２０１に装着することができる。
【００７９】
また、筒状部材６０の側面には、筒状部材６０を前後方向に摺動させる際に指が滑らないようにするための滑り止め６７が設けられている。
【実施例１４】
【００８０】
本発明の第１４の実施例を、図３１、図３２に基づいて説明する。
第１４の実施例の記憶装置１００においては、保護部材２の上面２Ｕには溝状の凹み５Ｕが、底面２Ｄには溝状の凹み５Ｄが共に保護部材２の前後方向に設けられている。
【００８１】
そして、この場合の端子保護部材８は、上板部１２と下板部１３とを備えており、それぞれの対向する面に設けられた突起１０Ｕ、１０Ｄが、上面２Ｕの凹み５Ｕと底面２Ｄの凹み５Ｄに分離不能に、且つ、摺動および回動可能に嵌め込まれて、端子保護部材８が保護部材２に装着されている。
【００８２】
なお、上板部１２と下板部１３とは、Ｕ字状に形成された前板部１１と、前板部１１からコネクタ１の長さより僅かに長く延設された左右一対の側壁部９Ｌ、９Ｒにより一体化されている。
【００８３】
また、前板部１１から円弧状の舌状部材６８が前方に突設され、その舌状部材６８に開設された穴６８Ａにストラップ６９が取り付けられている。
【００８４】
そして、舌状部材６８の側をコネクタ１の前方に配して端子保護部材８全体を後退させると、前板部１１がコネクタ１の直前に位置し、左右一対の側壁部９Ｌ、９Ｒがコネクタ１の左右に位置してコネクタ１を被覆し（図３１参照）、端子保護部材８全体を前進させると左右一対の側壁部９Ｌ、９Ｒがコネクタ１の部分から前方に外れて、上下一対の突起１０Ｕ、１０Ｄを支点として端子保護部材８が水平面内で回動可能になるので、舌状部材６８の側を保護部材２の後方に回動すると共に後退させ、その後端子保護部材８全体を前進させることで、前板部１１および左右一対の側壁部９Ｌ、９Ｒが最初とは逆の側、すなわち保護部材２の後端側に位置してコネクタ１が完全に露出すると共に、端子保護部材８が保護部材２の後端の細身部２Ｓに冠着可能な寸法・形状に、各部が形成されている（図３２参照）。
【００８５】
したがって、上記構成になる第１４の実施例の記憶装置１００においては、保護部材２に分離不能に装着した端子保護部材８の前後方向の摺動および水平面内での回動により、コネクタ１を覆い隠すことも露出させることも自在に行える。
【００８６】
しかも、コネクタ１が露出しているときには、端子保護部材８は不用意に回動することがないように保護部材２の後端部の細身部２Ｓに確実に固定される。また、小型化が可能であるので、ノート型ＰＣのように複数のコネクタ２０１が接近して配設されていても、全てのコネクタ２０１に装着することができる。
【００８７】
また、ストラップ６９を備えているので、持ち運びするときなどに首、手首などから吊下げるようにすることにより、落下・紛失などしなくなる。
【実施例１５】
【００８８】
本発明の第１５の実施例を、図３３、図３４に基づいて説明する。
この第１５の実施例の記憶装置１００は、前記図３１、図３２に示した第１４の実施例の記憶装置１００と類似している。
【００８９】
すなわち、前記第１４の実施例の記憶装置１００は、端子保護部材８は保護部材２の上下一対の凹み５Ｕ、５Ｄに嵌め込まれた上下一対の突起１０Ｕ、１０Ｄを支点にして水平面内で回動させると共に前後方向に摺動させるものであったが、この第１５の実施例の記憶装置１００は、端子保護部材８は保護部材２の左側面２Ｌ、右側面２Ｒの溝状の凹み５Ｌ、５Ｒに嵌め込まれた側壁部９Ｌ、９Ｒの突起１０Ｌ、１０Ｒを支点として鉛直面内で回動させると共に前後方向に摺動させるものである。
【００９０】
したがって、この第１５の実施例の記憶装置１００においても、前記第１４の実施例の記憶装置１００と同様の作用効果を奏することができる。
【００９１】
なお、本発明は上記実施例に限定されるものではないので、特許請求の範囲に記載の趣旨から逸脱しない範囲で各種の変形実施が可能である。
【００９２】
例えば、図６、図７に示した第３の実施例の記憶装置１００においては、蓋部材１９には付勢手段を設けず、蓋部材１９と筒状部材１７とに凹凸嵌合などして係止する適宜の係止手段を設けるようにしても良い。
【００９３】
また、何れの形態の記憶装置１００においても、図３５に示したようにストラップ装着用の穴６８Ａを備えた舌状部材６８を保護部材２の適宜の部位、例えば側面後端部分などに設けて、ストラップ６９を取り付けるようにしても良い。
【図面の簡単な説明】
【００９４】
【図１】第１の実施例を示す説明図であり、（Ａ）は平面図、（Ｂ）は正面図、（Ｃ）は左側面図、（Ｄ）は右側面図、（Ｅ）は底面図である。
【図２】第１の実施例を示す説明図であり、（Ａ）はＵＳＢ端子が隠されている状態を示す図、（Ｂ）はＵＳＢ端子が露出している状態を示す図である。
【図３】第１の実施例を示す斜視説明図である。
【図４】第２の実施例を示す説明図であり、（Ａ）は平面図、（Ｂ）は正面図、（Ｃ）は左側面図、（Ｄ）は右側面図、（Ｅ）は底面図である。
【図５】第２の実施例を示す説明図であり、（Ａ）はＵＳＢ端子が隠されている状態を示す図、（Ｂ）はＵＳＢ端子を露出する過程を示す図、（Ｃ）はＵＳＢ端子が露出している状態を示す図、（Ｄ）は使用形態の一例を示す図である。
【図６】第３の実施例を示す説明図であり、（Ａ）は平面図、（Ｂ）は正面図、（Ｃ）は左側面図、（Ｄ）は右側面図である。
【図７】第３の実施例のＵＳＢ端子が露出している状態を示す説明図であり、（Ａ）は正面図、（Ｂ）は底面図である。
【図８】第４の実施例を示す説明図であり、（Ａ）は平面図、（Ｂ）は正面図、（Ｃ）は左側面図、（Ｄ）は右側面図である。
【図９】第４の実施例のＵＳＢ端子を露出している状態を示す説明図であり、（Ａ）は正面図、（Ｂ）は底面図である。
【図１０】第５の実施例を示す説明図であり、（Ａ）は平面図、（Ｂ）は正面図、（Ｃ）は左側面図、（Ｄ）は右側面図、（Ｅ）は底面図である。
【図１１】第５の実施例を示す説明図であり、（Ａ）はＵＳＢ端子が隠されている状態を示す図、（Ｂ）はＵＳＢ端子を露出する過程を示す図、（Ｃ）はＵＳＢ端子が露出している状態を示す図である。
【図１２】第５の実施例の要部を示す説明図である。
【図１３】第６の実施例を示す説明図であり、（Ａ）、（Ｂ）、（Ｃ）、（Ｄ）は、それぞれＵＳＢ端子が隠されているときの平面図、正面図、左側面図、右側面図である。
【図１４】第６の実施例を示す説明図であり、（Ａ）、（Ｂ）、（Ｃ）は、それぞれＵＳＢ端子が露出しているときの正面図、右側面図、底面図である。
【図１５】第７の実施例を示す説明図であり、（Ａ）は平面図、（Ｂ）は正面図、（Ｃ）は左側面図、（Ｄ）は右側面図、（Ｅ）は底面図である。
【図１６】ＵＳＢ端子が露出しているときの第７の実施例を示す説明図である。
【図１７】第７の実施例を示す斜視説明図である。
【図１８】第８の実施例を示す説明図であり、（Ａ）は平面図、（Ｂ）は正面図、（Ｃ）は左側面図、（Ｄ）は右側面図、（Ｅ）は底面図である。
【図１９】ＵＳＢ端子が露出しているときの第８の実施例を示す説明図である。
【図２０】第９の実施例を示す説明図であり、（Ａ）は平面図、（Ｂ）は正面図、（Ｃ）は左側面図、（Ｄ）は右側面図、（Ｅ）は底面図である。
【図２１】第９実施例を示す説明図であり、（Ａ）はＵＳＢ端子が隠されている状態を示す図、（Ｂ）はＵＳＢ端子が露出している状態を示す図である。
【図２２】第１０の実施例を示す説明図であり、（Ａ）は平面図、（Ｂ）は正面図、（Ｃ）は左側面図、（Ｄ）は右側面図、（Ｅ）は底面図である。
【図２３】第１０実施例を示す説明図であり、（Ａ）はＵＳＢ端子が隠されている状態を示す図、（Ｂ）はＵＳＢ端子が露出している状態を示す図である。
【図２４】第１１の実施例を示す説明図であり、（Ａ）は平面図、（Ｂ）は正面図、（Ｃ）は左側面図、（Ｄ）は右側面図、（Ｅ）は底面図である。
【図２５】ＵＳＢ端子が隠されているときの部材の一部を破断して示す第１１の実施例を示す説明図であり、（Ａ）は正面図、（Ｂ）は底面図である。
【図２６】ＵＳＢ端子が露出しているときの部材の一部を破断して示す第１１の実施例を示す説明図であり、（Ａ）は正面図、（Ｂ）は底面図である。
【図２７】第１２の実施例を示す説明図であり、（Ａ）は平面図、（Ｂ）は正面図、（Ｃ）は左側面図、（Ｄ）は右側面図、（Ｅ）は底面図である。
【図２８】第１２の実施例を示す説明図であり、（Ａ）はＵＳＢ端子が隠されている状態を示す図、（Ｂ）、（Ｃ）、（Ｄ）はＵＳＢ端子を露出する過程を示す図、（Ｅ）はＵＳＢ端子が露出している状態を示す図である。
【図２９】第１３の実施例を示す説明図であり、（Ａ）は平面図、（Ｂ）は正面図、（Ｃ）は左側面図、（Ｄ）は右側面図、（Ｅ）は底面図である。
【図３０】第１３の実施例を示す説明図であり、（Ａ）はＵＳＢ端子を露出する過程を示す図、（Ｂ）はＵＳＢ端子が露出している状態を示す図である。
【図３１】第１４の実施例を示す説明図であり、（Ａ）は平面図、（Ｂ）は正面図、（Ｃ）は左側面図、（Ｄ）は右側面図、（Ｅ）は底面図である。
【図３２】第１４の実施例を示す説明図であり、（Ａ）はコネクタを露出する第１の過程を示す図、（Ｂ）はコネクタを露出する第２の過程を示す図、（Ｃ）は端子保護部材を保護部材の後端部に固定する過程を示す図、（Ｄ）は端子保護部材が保護部材の後端部に固定された状態を示す図である。
【図３３】第１５の実施例を示す説明図であり、（Ａ）は平面図、（Ｂ）は正面図である。
【図３４】第１５の実施例を示す説明図であり、（Ａ）はコネクタを露出する第１の過程を示す図、（Ｂ）はコネクタを露出する第２の過程を示す図、（Ｃ）は端子保護部材を保護部材の後端部に固定する過程を示す図、（Ｄ）は端子保護部材が保護部材の後端部に固定された状態を示す図である。
【図３５】変形実施例を示す説明図であり、（Ａ）は正面図、（Ｂ）は底面図である。
【図３６】従来技術を示す説明図であり、（Ａ）は使用例を示す図、（Ｂ）はＵＳＢコネクタの構造を示す図である。
【符号の説明】
【００９５】
１  コネクタ
１Ａ  絶縁部材
１Ｂ  ＵＳＢ端子
２、２Ａ  保護部材
２Ｄ  底面
２Ｕ  上面
２Ｌ  左側面
２Ｒ  右側面
２Ｓ  細身部
３  記憶部
４  キャップ
５Ｄ、５Ｌ、５Ｒ、５Ｕ  凹み
６Ｌ、６Ｒ  円形溝
７Ｌ、７Ｒ  突起
８  端子保護部材
９Ｌ、９Ｒ  側壁部
１０Ｄ、１０Ｌ、１０Ｒ、１０Ｕ  突起
１１  前板部
１２  上板部
１３  下板部
１４Ｌ、１４Ｒ  凹部
１５、１６  ヒンジ
１７  筒状部材
１８  支持軸
１９  蓋部材
２０  前側脱落防止手段
２１  後側脱落防止手段
２２Ｌ、２２Ｒ  合せ蓋部材
２３Ｌ、２３Ｒ  支持軸
２４Ｌ、２４Ｒ  連結部材
２５Ｌ、２５Ｒ  長穴
２６Ｌ、２６Ｒ  バネ部材
２７Ｔ、２７Ｂ  合せ蓋部材
２８Ｔ、２８Ｂ  案内溝
２９Ｔ、２９Ｂ  連結部材
３０  筒状部材
３０Ａ  板状蓋部材
３１Ｂ、３１Ｔ  扇状部材
３２  蓋部材
３３Ｂ、３３Ｔ  支持軸
３４Ｂ、３４Ｔ  円弧状段部
３５  舌片状蓋部材
３６Ｌ、３６Ｒ  合せ蓋部材
３７Ｌ、３７Ｒ  支持軸
３８  長穴
３９  操作手段
４０  前板部
４１  上板部
４２Ｌ  左側板
４２Ｒ  右側板
４３  長穴
４４  突起
４５ＬＦ、４５ＬＲ、４５ＲＦ、４５ＲＲ  突起
４６Ｌ、４６Ｒ  支持軸
４７Ｌ、４７Ｒ  上部腕部材
４８Ｌ、４８Ｒ  支持軸
４９Ｌ、４９Ｒ  下部腕部材
５０Ｔ、５０Ｂ  合せ蓋部材
５１  収納部
５２  被覆部材
５３  付勢手段
５４  収納部
５５  板状蓋部材
５６、５７  自己ヒンジ
５８  穴
５９  突起
６０  筒状部材
６１Ｌ、６１Ｒ  支持軸
６２Ｌ、６２Ｒ  合せ蓋部材
６３Ｔ、６３Ｂ  スリット
６４Ｔ、６４Ｂ  突条
６５Ｌ、６５Ｒ  上板部
６６Ｌ、６６Ｒ  下板部
６７  滑り止め
６８  舌状部材
６８Ａ  穴
６９  ストラップ
７０  壁
１００、１００Ｘ  記憶装置
２００  ＰＣ
２０１  コネクタ
【図１】
2004221048.tif 000003
【図２】
2004221048.tif 000004
【図３】
2004221048.tif 000005
【図４】
2004221048.tif 000006
【図５】
2004221048.tif 000007
【図６】
2004221048.tif 000008
【図７】
2004221048.tif 000009
【図８】
2004221048.tif 000010
【図９】
2004221048.tif 000011
【図１０】
2004221048.tif 000012
【図１１】
2004221048.tif 000013
【図１２】
2004221048.tif 000014
【図１３】
2004221048.tif 000015
【図１４】
2004221048.tif 000016
【図１５】
2004221048.tif 000017
【図１６】
2004221048.tif 000018
【図１７】
2004221048.tif 000019
【図１８】
2004221048.tif 000020
【図１９】
2004221048.tif 000021
【図２０】
2004221048.tif 000022
【図２１】
2004221048.tif 000023
【図２２】
2004221048.tif 000024
【図２３】
2004221048.tif 000025
【図２４】
2004221048.tif 000026
【図２５】
2004221048.tif 000027
【図２６】
2004221048.tif 000028
【図２７】
2004221048.tif 000029
【図２８】
2004221048.tif 000030
【図２９】
2004221048.tif 000031
【図３０】
2004221048.tif 000032
【図３１】
2004221048.tif 000033
【図３２】
2004221048.tif 000034
【図３３】
2004221048.tif 000035
【図３４】
2004221048.tif 000036
【図３５】
2004221048.tif 000037
【図３６】
2004221048.tif 000038